【事件の表示】
　上記当事者間の登録第５３１００１７号商標の登録取消審判事件について、次のとおり審決する。
【結　論】
　本件審判の請求は、成り立たない。
　審判費用は、請求人の負担とする。
【理　由】
第１　本件商標
　本件登録第５３１００１７号商標（以下「本件商標」という。）は、別掲のとおりの構成からなり、平成２１年１０月２８日に登録出願、第３５類「広告，商品の販売促進のための企画及び運営，事業の管理又は運営，事業の管理又は運営に関するコンサルティング，経営の診断又は経営に関する助言及び指導，市場調査，商品の販売に関する情報の提供，ホテルの事業の管理，トレーディングスタンプの発行，財務書類の作成，経理事務の代行，職業のあっせん，会計・営業・総務・人事・広報・渉外・企画その他の事務的事項に関する事務処理代行，文書又は磁気テープのファイリング，事業の管理又は運営に関する一般事務の代理又は代行，求人情報の提供」、第３６類「預金の受入れ（債券の発行により代える場合を含む。）及び定期積金の受入れ，資金の貸付け及び手形の割引，内国為替取引，債務の保証及び手形の引受け，有価証券の貸付け，金銭債権の取得及び譲渡，有価証券・貴金属その他の物品の保護預かり，両替，金融先物取引の受託，金銭・有価証券・金銭債権・動産・土地若しくはその定着物又は地上権若しくは土地の賃借権の信託の引受け，債券の募集の受託，外国為替取引，信用状に関する業務，割賦購入あっせん，投資，投資事業組合の設立による投資事業組合財産の運用及び管理，投資に関するコンサルティング，有価証券の売買・有価証券指数等先物取引・有価証券オプション取引及び外国市場証券先物取引，有価証券の売買・有価証券指数等先物取引・有価証券オプション取引及び外国市場証券先物取引の媒介・取次ぎ又は代理，有価証券市場における有価証券の売買取引・有価証券指数等先物取引及び有価証券オプション取引の委託の媒介・取次ぎ又は代理，外国有価証券市場における有価証券の売買取引及び外国市場証券先物取引の委託の媒介・取次ぎ又は代理，有価証券の引受け，有価証券の売出し，有価証券の募集又は売出しの取扱い，株式市況に関する情報の提供，商品市場における先物取引の受託，商品投資顧問契約に基づく投資，建物の管理，建物の貸借の代理又は媒介，建物の貸与，建物の売買，建物の売買の代理又は媒介，建物又は土地の鑑定評価，土地の管理，土地の貸借の代理又は媒介，土地の貸与，土地の売買，土地の売買の代理又は媒介，建物又は土地の情報の提供，企業の信用に関する調査，企業の税務に関する指導及び助言，税務代理の媒介・取次ぎ」及び第４１類「技芸・スポーツ又は知識の教授，セミナーの企画・運営又は開催，電子出版物の提供，図書及び記録の供覧，書籍の制作，映画・演芸・演劇又は音楽の演奏の興行の企画又は運営，映画の上映・制作又は配給，興行の企画・運営又は開催（映画・演芸・演劇・音楽の演奏の興行及びスポーツ・競馬・競輪・競艇・小型自動車競走の興行に関するものを除く。）」を指定役務として、同２２年３月１９日に設定登録され、現に有効に存続しているものである。
　そして、本件審判の請求の登録は、平成２５年７月８日である。
　
第２　請求人の主張
　請求人は、商標法第５０条第１項により本件商標の登録を取り消す、審判費用は被請求人の負担とするとの審決を求め、その理由を要旨次のように述べ、証拠方法として甲第１号証を提出した。
１　請求の理由
　本件商標は、その全指定役務について、継続して３年以上、日本国内において、商標権者、専用使用権者又は通常使用権者のいずれによっても使用されていないものであるから、その登録は取り消されるべきである。
２　被請求人の答弁に対して
　被請求人は、本件商標が本件審判の請求の登録前３年以内（以下「要証期間内」という場合がある。また、以下、請求の登録の日を「予告登録日」という場合がある。）に、被請求人（商標権者）によって、その請求に係る指定役務中、第３５類「事業の管理又は運営，事業の管理又は運営に関するコンサルティング，経営の診断又は経営に関する助言及び指導」（以下「本件役務」という。）について使用された事実があると主張するが、以下のとおり、これを客観的に示す証拠は提出されていないため、本件商標に係る商標登録は取り消されるべきである。
（１）乙第１号証
　被請求人は、被請求人の法人登記の事実を示す履歴事項全部証明書（乙１）を提出し、被請求人の事業内容の概要に言及しているところ、かかる証明書より、被請求人が法人として実在することは是認できるが、本件商標がその指定役務について実際に使用されたことまでは明らかとなっていない。
（２）乙第２号証
　乙第２号証は、「被請求人の会社概要」として被請求人の会社概要、事業内容及び代表者の略歴等を説明する書面であるところ、当該書面は、その発行年月日が不明である。また、本書面を提出するのみでは、被請求人が「経営戦略・財務戦略に関するコンサルティング及びリーダー人材の開発・育成」の業務を実際に提供していたこと、又はしていること、被請求人の事業実績や進行中のプロジェクトが実際に存在することは、客観的に把握できる証拠をもって裏付けられていない。
（３）乙第３号証
　被請求人は、「被請求人は株式会社ドワンゴに対し、同社及び同社子会社の制作部門の業務改善に関するコンサルティング、その他これに派生する経営全般についての助言を提供した」と述べるが、乙第３号証が存在する事実、すなわち、契約書を取り交わした事実のみでは、上記「経営全般についての助言」が実際に被請求人より提供されたことまでは明らかではなく、乙第３号証は、本件商標の使用及び本件役務が実際に提供されたことを示す根拠とはならない。
（４）乙第４号証及び乙第５号証
　ア　指定役務への本件商標の使用
　乙第４号証及び乙第５号証は、被請求人が株式会社ドワンゴ宛てに発行した平成２３年９月２２日及び同２４年３月１９日付けの請求書であるところ、その請求内容として「業務委託費」と記載されているが、「業務委託費」というだけでは、どのような具体的役務の提供に関連する請求書であるのか不明である。
　この点、被請求人は、答弁書において、被請求人が株式会社ドワンゴとコンサルティング契約を締結したこと、同社に対し業務改善に関するコンサルティング・サービス、その他経営全般に関する助言を提供したこと、上記契約の契約期間、被請求人発行の株式会社ドワンゴ宛て請求書が存在すること、同請求書に本件商標が付されていることに単に言及する。
　しかしながら、乙第４号証及び乙第５号証に具体的な業務内容の記述は無く、また、乙第３号証として示される契約内容に基づき、被請求人により本件役務が実際に提供され、その役務の提供についての費用請求として、乙第４号証及び乙第５号証の請求書が発行されたことまでは、提出された全ての証拠を通じて直接的に裏付けられていない。
　イ　社会通念上同一の商標
　乙第４号証及び乙第５号証には、「ＩＮＴＥＬＬＡＳＳＥＴ」の文字が記載されている（以下「使用商標」という場合がある。）が、同文字列は、以下の理由により、本件商標と社会通念上同一の商標には該当しない。
　特許庁が制定する審判便覧によれば、登録商標が二段併記の構成からなる場合にあっては、上段及び下段の各部が観念を同一にするときに、その一方の使用は、社会通念上同一と認められる商標と判断される。
　また、これに関連する審決例にあっては、（ア）二段併記された登録商標を構成する文字列の一つ及び使用商標から生じる称呼が同じであっても、他の観念を生じる文字が想起される場合（取消２００５−３０５４３）、（イ）二段併記された登録商標を構成するそれぞれの文字列及び使用商標からは特定の観念を生じないために観念の異同を比較できず、異なる称呼を生じる場合（２００４−３１５１３）、（ウ）二段併記された登録商標を構成するそれぞれの文字列及び使用商標からは特定の観念は生じず、直ちに特定の称呼も生じない場合（平成１０年審判第３１２８５号）、（エ）常に同一の称呼及び観念を生ずるといえない欧文字と片仮名とが結合された（二段に併記された）構成をもって一商標として登録されている場合（平成１１年審判第３１２２２号）、（オ）二段併記された登録商標を構成する文字列のうち欧文字部分が使用され、当該使用商標からは登録商標を構成する文字列のうちの片仮名とは異なる称呼を生じる場合（取消２００５−３１２５７）には、使用商標は登録商標と社会通念上同一の商標には該当しないと判断されている。
　乙第４号証及び乙第５号証に記載される使用商標及び本件商標の構成中の「ＩＮＴＥＬＬＡＳＳＥＴ」からは、「インテラセット」、「インテルアセット」、「インテルラセット」又は「インテッラセット」など複数の称呼が生じる。また、同「ＩＮＴＥＬＬＡＳＳＥＴ」の文字及び本件商標の構成中「インテラセット」の文字は、造語と考えられるため特定の観念は生じない。
　したがって、このような称呼及び観念をもって認識される本件商標及び使用商標が社会通念上同一の商標に該当するかの検討においては、本件商標では、「ＩＮＴＥＬＬＡＳＳＥＴ」の読み方として「インテラセット」が併記されたと考えることが妥当である一方で、被請求人が使用する「ＩＮＴＥＬＬＡＳＳＥＴ」の文字単独の態様にあっては、「インテラセット」の称呼のみならず、「インテルアセット」、「インテルラセット」又は「インテッラセット」など複数の称呼が生じる。
　よって、本件においては、上記に挙げた審決例のうち、（イ）ないし（オ）の類型が妥当することから、使用商標と本件商標とは、社会通念上同一の商標には該当しない。
　ウ　小括
　以上より、乙第４号証及び第５号証は、いかなる役務に関連する請求書であるのかが不明であり、また、これらの証拠に記載される使用商標と本件商標とは、社会通念上同一の商標とはいえないから、これらは、本件役務への本件商標の使用を示す証拠とはならない。
（５）乙第６号証
　被請求人は、指定役務への本件商標の使用の事実を裏付ける証拠として、被請求人と日本駐車場開発株式会社との間で平成２３年１１月１１日付けにて締結されたコンサルティング契約書を提出するが、乙第６号証は、乙第３号証に関する上記請求人の主張と同様に、同契約書に基づいて実際に本件役務が提供されたかが不明であり、乙第６号証に表示される「株式会社インテラセット」は、本件商標と社会通念上同一の商標ではなく、かつ、商標として認識される態様での使用には該当しない。
（６）乙第７号証及び乙第８号証
　乙第７号証及び乙第８号証は、被請求人が日本駐車場開発株式会社宛てに発行した平成２３年１１月１８日及び同２４年１０月１９日付けの請求書であるところ、これらの証拠は、乙第４号証及び乙第５号証に関する上記請求人の主張と同様に、いかなる役務に関連する請求書であるのかが不明であり、また、被請求人が提出する他の証拠との関係も具体的には裏付けられていない。
　さらに、乙第７号証及び乙第８号証に記載される「ＩＮＴＥＬＬＡＳＳＥＴ」の文字（使用商標）と本件商標とは、社会通念上同一の商標には該当しない。
（７）乙第９号証
　被請求人は、指定役務への本件商標の使用の事実を裏付ける証拠として、被請求人と株式会社ドワンゴとの間で平成２４年４月１日付けに締結されたコンサルティング契約書を提出しているが、乙第９号証は、乙第３号証に関する上記請求人の主張と同様に、同契約書に基づいて実際に本件役務が提供されたかが不明であり、乙第９号証に表示される「株式会社インテラセット」は、本件商標と社会通念上同一の商標ではなく、かつ、商標として認識される態様での使用には該当しない。
（８）乙第１０号証及び乙第１１号証
　乙第１０号証及び乙第１１号証は、被請求人が株式会社ドワンゴ宛てに発行した平成２４年４月１９日及び同年６月８日付けの請求書であるが、これらの証拠は、乙第４号証及び乙第５号証に関する上記請求人の主張と同様に、いかなる役務に関連する請求書であるのかが不明であり、また、被請求人が提出する他の証拠との関係も具体的には裏付けられていない。
　さらに、乙第１０号証及び乙第１１号証に記載される「ＩＮＴＥＬＬＡＳＳＥＴ」の文字（使用商標）と本件商標とは、社会通念上同一の商標には該当しない。
（９）乙第１２号証ないし乙第１４号証
　被請求人は、被請求人の代表者である荒木隆司氏、株式会社ドワンゴの法務部長である伊織巧人氏及び日本駐車場開発株式会社の人事部長である小海信哉氏が署名・押印する陳述書（乙１２〜乙１４）を提出しているが、これらの書面は、すべて本件審判の予告登録日以後に作成されたものであり、考慮されるべきではない。また、そもそもこれらの書面は、被請求人が本件審判の請求に係る指定役務のいずれかについて本件商標又はそれと社会通念上同一の商標を使用していることを証明するものではなく、提出の趣旨が不明である。
（１０）「業務委託費」と「コンサルティング・サービス委託」との関係性
　被請求人は、「請求書」（乙４，乙５，乙７，乙８，乙１０，乙１１）に記載された「業務委託費」と「コンサルティング契約書」（乙３，乙６，乙９）にいう「コンサルティング・サービス委託」との具体的関係を、請求書記載の「業務委託費」及び「経営コンサルティング」の説明に用いる証拠（乙１５，乙１６）と追加陳述書（乙１７〜乙１９）の提出、並びに黒塗り部分の一部を明らかにした契約書の再提出を行っているが、自説の展開に終始するのみであって、これらの主張や証拠によっては、請求書に記載された「業務委託費」が、被請求人が提供したと主張する役務についてのものであることは不明である。
　そもそも、被請求人は、契約書及び請求書以外の本件商標の本件役務への直接的な使用を示す客観的な証拠を追加で提出すれば足りるところ、そのような証拠の提出も無い。
３　結語
　以上のとおり、被請求人が提出する乙第１号証ないし乙第１９号証によっては、商標権者が本件商標をその請求に係る指定役務のいずれかについて、要証期間内に、日本国内において使用した事実は示されていない。
　
第４　被請求人の主張
　被請求人は、結論同旨の審決を求め、その理由を要旨以下のように述べ、証拠方法として乙第１号証ないし乙第１９号証を提出した。
１　被請求人（商標権者）による「事業の管理又は運営，事業の管理又は運営に関するコンサルティング，経営の診断又は経営に関する助言及び指導」（本件役務）についての使用事実
（１）総論
　被請求人は、その代表者である荒木隆司が平成７年に経営戦略・財務戦略に関するコンサルティング及びリーダー人材の開発・育成を主たる事業として設立した法人である（乙１）。「会社案内」（乙２）の「代表取締役略歴」にあるように、被請求人代表者は平成７年の設立以来、一貫して被請求人を通じて経営コンサルティング業務を行ってきたが、２００４年よりエイベックス株式会社（現エイベックス・グループ・ホールディングス株式会社）及び同社関連会社の役員を歴任し、２０１１年７月より再び主たる活動の場を被請求人として、現在に至るまで経営コンサルティング業務を行っている。
　そして、被請求人は、平成２３年９月１日以降継続的に本件役務を、株式会社ドワンゴ及び日本駐車場開発株式会社に対して提供し、取引書類（顧客に対する請求書）において本件商標と社会通念上同一の商標を使用した（乙１２〜乙１４）。
（２）株式会社ドワンゴ
　乙第３号証は、被請求人が平成２３年９月１日東京都中央区日本橋浜町二丁目３１番１号の株式会社ドワンゴとの間で締結したコンサルティング契約書であるところ、同契約書に基づき、被請求人は株式会社ドワンゴに対し、同社及び同社子会社の制作部門の業務改善に関するコンサルティング、その他これに派生する経営全般についての助言を提供した（第１条）。
　当該コンサルティング契約の契約期間は、平成２３年９月１日から同２４年３月３１日までであった（第７条）。
　乙第４号証は、被請求人が株式会社ドワンゴに対して発行した平成２３年９月２２日付け請求書であり、また、乙第５号証は、被請求人が株式会社ドワンゴに対して発行した同２４年３月１９日付け請求書である。これらの請求書においては、請求項目として「業務委託費」と記載されているが、コンサルティング・サービス委託費は、会計処理上の勘定科目としては「業務委託費」である（請求人の主張における「請求書」について、以下同じ。）。そして、これらの請求書には本件使用商標が付されている。
（３）日本駐車場開発株式会社
　乙第６号証は、被請求人が平成２３年１１月１１日東京都千代田区丸の内一丁目５番１号の日本駐車場開発株式会社との間で締結したコンサルティング契約書であるところ、同契約書に基づき、被請求人は日本駐車場開発株式会社に対し、同社の経営幹部候補生に対して、経営者に必要とされる知識・スキルに関する研修、コーチングを実施し、これについて同社経営者への報告を行った（第１条）。
　当該コンサルティング契約の契約期間は、平成２３年１１月１１日から同２４年１１月１０日までであった（第８条）。その後、当該コンサルティング契約は更新され、平成２５年４月まで継続した（乙１４）。
　乙第７号証は、被請求人が日本駐車場開発株式会社に対して発行した平成２３年１１月１８日付け請求書であり、また、乙第８号証は、被請求人が日本駐車場開発株式会社に対して発行した同２４年１０月１９日付け請求書である。そして、これらの請求書には本件使用商標が付されている。
（４）株式会社ドワンゴ（第二回目）
　乙第９号証は、被請求人が平成２４年４月１日株式会社ドワンゴとの間で締結したコンサルティング契約書であるところ、同契約書に基づき、被請求人は株式会社ドワンゴに対し、同社のコーポレート本部強化に関するコンサルティング、その他これに派生する経営全般についての助言を提供した（第１条）。
　当該コンサルティング契約の契約期間は、平成２４年４月１日から同年６月３０日までであった（第７条）。
　乙第１０号証は、被請求人が株式会社ドワンゴに対して発行した平成２４年４月１９日付け請求書であり、また、乙第１１号証は、被請求人が株式会社ドワンゴに対して発行した同年６月８日付け請求書である。そして、これらの請求書には本件使用商標が付されている。
（５）小括
　以上により、被請求人が、株式会社ドワンゴに対しては、要証期間内にあたる平成２３年９月１日以降同２４年６月３０日までの期間、日本駐車場開発株式会社に対しては、要証期間内にあたる平成２３年１１月１１日以降同２５年４月までの期間、両社を対象とした経営に関するコンサルティングの役務を提供し、その過程において取引書類（上記両社に対する請求書）に本件商標と社会通念上同一の商標を付して使用したことは明らかである。
２　追加提出した証拠について
　株式会社ドワンゴ及び日本駐車場開発株式会社による陳述書を追加提出する（乙１７，乙１８）。
　これらの陳述書において、株式会社ドワンゴは、（ａ）乙第３号証及び乙第９号証の契約書に基づくコンサルティング・サービスを被請求人から受けたことに相違ないこと、（ｂ）乙第４号証の請求書と乙第５号証の請求書が乙第３号証の契約書に基づいて被請求人から株式会社ドワンゴに提供されたコンサルティング・サービスに対して発行されたものであり、株式会社ドワンゴがこれを受領し、これに対する支払いをなしたこと、及び乙第１０号証の請求書と乙第１１号証の請求書が乙第９号証の契約書に基づいて被請求人から株式会社ドワンゴに提供されたコンサルティング・サービスに対して発行されたものであり、株式会社ドワンゴがこれを受領し、これに対する支払いをなしたことに相違ないこと、（ｃ）被請求人との間で乙第３号証及び乙第９号証の他に業務委託契約を締結したことがないこと、したがって、乙第４号証及び乙第５号証の各請求書が乙第３号証の契約書に基づいて提供されたコンサルティング・サービスの対価の請求であったことは自明であったこと、乙第１０号証及び乙第１１号証の各請求書が乙第９号証の契約書に基づいて提供されたコンサルティング・サービスの対価の請求であったことも同様に自明であったこと、（ｄ）乙第３号証の契約書第２条第２項において定められた報酬の金額と乙第４号証及び乙第５号証の請求書の請求金額から消費税の額を差し引いた額とが一致していること、並びに乙第９号証の契約書第２条第２項において定められた報酬の金額と乙第１０号証及び乙第１１号証の請求書の請求金額から消費税の額を差し引いた額とが一致していることを陳述している。
　日本駐車場開発株式会社は、（ａ）乙第６号証の契約書に基づくコンサルティング・サービスを被請求人から受けたことに相違ないこと、（ｂ）乙第７号証の請求書と乙第８号証の請求書が乙第６号証の契約書に基づいて被請求人から日本駐車場開発株式会社に提供されたコンサルティング・サービスに対して発行されたものであり、日本駐車場開発株式会社がこれを受領し、これに対する支払いをなしたことに相違ないこと、（ｃ）被請求人との間で乙第６号証の他に業務委託契約を締結したことがないこと、したがって、乙第７号証及び乙第８号証の各請求書が乙第６号証の契約書に基づいて提供されたコンサルティング・サービスの対価の請求であったことは自明であったこと、（ｄ）乙第６号証の契約書第２条第２項において定められた報酬の金額と乙第７号証及び乙第８号証の請求書の請求金額から消費税の額を差し引いた額とが一致していることを陳述している。
　したがって，これらの追加的陳述書をもって，「コンサルティング契約書」にいう「コンサルティング・サービスの委託」と各請求書における「業務委託費」の具体的な関係は明らかになったから、被請求人は商標法第５０条第２項に規定する証明をしたものと認定されるべきである。
３　本件使用商標と本件商標との社会通念上の同一について
　請求人は、本件商標の欧文字部分「ＩＮＴＥＬＬＡＳＳＥＴ」からは、「インテラセット」、「インテルアセット」、「インテルラセット」及び「インテッラセット」の複数の称呼が生じ得ると主張する。
　しかし、本件商標の欧文字部分を分離した場合であっても、これよりは「インテルアセット」の称呼は生じないというべきである（登録第４６５１７６２号商標に対する無効審判事件の審決取消請求事件（平成２１年（行ケ）第１００７４号）における知的財産高等裁判所平成２１年１０月２０日判決参照）。また、本件商標権者の名称が「株式会社インテラセット」であることからすれば、請求人が主張するような「インテルラセット」及び「インテッラセット」のような不自然な称呼が生じるとみることもできない。
　また、乙第４号証及び乙第５号証の請求書上には、使用商標が表示されているのみならず、「株式会社インテラセット」の文字からなる社判が押印され、「ご入金先口座名」として「株式会社インテラセット」と記載されているから、使用商標に接した者は使用商標から「インテラセット」との称呼を生ずるものと認識される。
　したがって、本件商標の欧文字部分からは「インテラセット」の称呼のみが生じるとみるのが妥当であり、乙第４号証及び乙第５号証の請求書における使用商標は、本件商標と社会通念上同一の商標とみるべきである。
４　結論
　以上のとおり、要証期間内に、被請求人が本件役務を提供し、当該取引にかかる請求書に本件商標を使用したことは明らかである。
　
第４　当審の判断
１　認定事実
　被請求人の提出に係る証拠によれば、以下の事実が認められる。
（１）本件商標に係る商標権者（被請求人）は、会社成立の年月日を「平成１２年１２月１１日」、その目的を「１．各種事業及び各種企業に対する経営上の諸問題に関する総合的な研究調査の受託及び経営相談　２．企業又は企業が提供する商品・サービスのブランド価値に関する調査研究及びそれらの向上に関するコンサルティング業　３．企業の経営活性化のための人材育成・啓発に関する調査研究及びそのコンサルティング業　４．企業経営及び企業財務に関するコンサルティング業務　５．企業間の合併・営業譲渡・業務提携等についての代理、仲介、コンサルティング業務」等とする法人であって、その代表取締役は「荒木隆司」であることが認められる（乙１）。
（２）乙第３号証は、株式会社インテラセット（商標権者。以下「ＩＴＬ」という場合がある。）が株式会社ドワンゴ（東京都中央区日本橋浜町二丁目３１番１号在。以下「本委託者」という場合がある。）と２０１１年９月１日付けで締結したコンサルティング契約書であると認められ、その第１条（コンサルティング・サービス委託）には「本委託者はＩＴＬに対し、以下のコンサルティング・サービスを委託し、ＩＴＬはこれを受託する。（１）株式会社ドワンゴ及びその子会社（株式会社ＣＥＬＬ）の制作部門の業務改善に関するコンサルティング　（２）その他、（１）に派生する経営全般についての助言」と記載され、第７条（有効期間）には「１．本契約の有効期間は、前条の規定により期間内に終了されない限りは、本契約締結日から２０１２年３月３１日までとする。（以下省略）」と記載されている。
　また、乙第９号証は、商標権者が株式会社ドワンゴと２０１２年４月１日付けで締結したコンサルティング契約書であると認められ、その第１条（コンサルティング・サービス委託）には「本委託者はＩＴＬに対し、以下のコンサルティング・サービスを委託し、ＩＴＬはこれを受託する。（１）株式会社ドワンゴのコーポレート本部強化に関するコンサルティング　（２）その他、（１）に派生する経営全般についての助言」と記載され、第７条（有効期間）には「１．本契約の有効期間は、前条の規定により期間内に終了されない限りは、本契約締結日から２０１２年６月３０日までとする。（以下省略）」と記載されている。
　そして、乙第４号証、乙第５号証、乙第１０号証及び乙第１１号証は、商標権者が株式会社ドワンゴに対して発行した請求書であると認められ、商標権者の住所と認められる記載の上段に「ＩＮＴＥＬＬＡＳＳＥＴ」の欧文字からなる標章（使用商標）が付され、ご請求内容、ご請求金額及びご入金口座名がそれぞれ記載されており、「ご請求内容」欄において、２０１１年０９年２２日付け請求書（乙４）には「業務委託費　０９月分」、２０１２年３年１９日付け請求書（乙５）には「業務委託費　３月分」、２０１２年４年１９日付け請求書（乙１０）には「業務委託費　４月分」、２０１２年６年８日付け請求書（乙１１）には「業務委託費　６月分」と記載されている。
（３）乙第６号証は、商標権者が日本駐車場開発株式会社（東京都千代田区丸の内１丁目５番１号在。以下「本委託者」という場合がある。）と２０１１年１１月１１日付けで締結したコンサルティング契約書であると認められ、その第１条（コンサルティング・サービス委託）には「本委託者はＩＴＬに対し、『本委託者により選抜された８名の次世代リーダー候補生に対し、経営者に必要とされる知識・スキルに関する集合研修を行い、コーチングのための個別面談を実施し、さらに、経営陣に対し上記選抜者の育成状況等につき適宜報告をする。』旨のコンサルティング・サービスを委託し、ＩＴＬはこれを受託する。」旨記載され、第８条（有効期間）には「１．本契約の有効期間は、前条の規定により期間内に終了されない限りは、本契約締結日から２０１２年１１月１０日までとする。（以下省略）」と記載されている。
　そして、乙第７号証及び乙第８号証は、商標権者が日本駐車場開発株式会社に対して発行した請求書であると認められ、商標権者の住所と認められる記載の上段に「ＩＮＴＥＬＬＡＳＳＥＴ」の欧文字からなる標章（使用商標）が付され、ご請求内容、ご請求金額及びご入金口座名がそれぞれ記載されており、「ご請求内容」欄において、２０１１年１１年１８日付け請求書（乙７）には「業務委託費　１１月分」、２０１２年１０年１９日付け請求書（乙８）には「業務委託費　１０月分」と記載されている。
（４）乙第１５号証は、「ＷＥＢＮＯＴＥ−［経済］簿記勘定科目一覧表（用語集」を表題とするウェブサイトにおける「外注費」の項の紙打ち出しの写しと認められるところ、「外注費勘定の定義・意味・意義」の見出しの下、「外注費とは、会社の業務の一部を外部の業者へ委託（アウトソーシング）した場合の費用や下請工賃・加工賃、またはコンサルタントを利用した場合の費用を管理するための勘定科目をいう。外注費は業務委託費ともいう。」との記載がある。
２　判断
　上記１によれば、商標権者は、２０１１年（平成２３年）９月１日付け及び２０１２年（平成２４年）４月１日付けの株式会社ドワンゴとのコンサルティング契約に基づき、その契約書第１条に記載の「コンサルティング・サービス」を提供したこと、また、２０１１年（平成２３年）１１月１１日付けの日本駐車場開発株式会社とのコンサルティング契約に基づき、その契約書第１条に記載の「コンサルティング・サービス」を提供したことが推認される。それらの役務に係る請求書（乙４，乙５，乙７，乙８，乙１０，乙１１）が、商標権者から株式会社ドワンゴに対し、少なくとも２０１１年９年２２日付け、２０１２年３年１９日付け、同年４年１９日付け及び同年６年８日付けで発行され、また、商標権者から日本駐車場開発株式会社に対し、少なくとも２０１１年１１年１８日付け及び２０１２年１０年１９日付けで発行され、それらには「ＩＮＴＥＬＬＡＳＳＥＴ」の欧文字からなる標章（使用商標）が付されていたことが認められる。そして、上記の日付は、要証期間内に含まれるものである。
３　商標権者が提供した「コンサルティング・サービス」が本件役務であることについて
　請求人は、請求書に記載された「業務委託費」とコンサルティング契約書にいう「コンサルティング・サービス委託」との具体的関係について、被請求人の主張や証拠によっては、「業務委託費」が本件役務についてのものであるか不明であることなどから、本件商標が本件役務について使用されたことは明らかとなっていない旨主張する。
　被請求人（商標権者）は、本件役務、すなわち本件指定役務中の「事業の管理又は運営，事業の管理又は運営に関するコンサルティング，経営の診断又は経営に関する助言及び指導」について本件商標を使用するものであると立証するところ、商品及び役務の区分の第３５類には、「主として、人又は組織が提供するサービスであって、商業に従事する企業の運営若しくは管理に関する援助又は商業若しくは工業に従事する企業の事業若しくは商業機能の管理に関する援助を主たる目的とするもの及び広告事業所であって、全ての種類の商品又はサービスに関するあらゆる伝達手段を用いた公衆への伝達又は発表を主に請け負うものが提供するサービスを含む。」ものであり、本件役務についてみれば、他人の依頼に基づいて、経営の診断や経営に関する助言を行う「経営コンサルタント」等が行うサービスが該当するといえるものである。
　そして、本件について、商標権者と株式会社ドワンゴ又は日本駐車場開発株式会社とにおけるコンサルティング契約の内容は、会社の制作部門の業務改善に関するコンサルティング及びそれに派生する経営全般についての助言、会社のコーポレート本部強化に関するコンサルティング及びそれに派生する経営全般についての助言、又は委託者に選抜された次世代リーダー候補生に対し、経営者に必要とされる知識・スキルに関する集合研修を行い、コーチングのための個別面談を実施し、さらに、経営陣に対し上記選抜者の育成状況等につき適宜報告をする旨のコンサルティング・サービスとするものであり、その内容からすれば、本件役務の範疇に属するものとみるのが相当である。
　さらに、これらのサービスを請求書において「業務委託費」と表示したことの整合性があるか否かについてみるに、「外注費とは、会社の業務の一部を外部の業者へ委託（アウトソーシング）した場合の費用や下請工賃・加工費、またはコンサルタントを利用した場合の費用を管理するための勘定科目をいう。外注費は業務委託費ともいう。」（乙１５）にあるように、本件における上記契約は外注といえるものであり、コンサルティング契約書にいう「コンサルティング・サービス委託」を請求書において「業務委託費」としたことについてさほど問題があるとも思えず、また、被請求人の提出に係る乙各号証を総合してみれば、上記当該契約に基づき提供された「コンサルティング・サービス」が請求書に記載された「業務委託費」であるとみるのが相当であり、使用商標が本件役務について使用されたと認められるとする上記判断は、請求人の上記主張によって左右され得ないものである。
４　「ＩＮＴＥＬＬＡＳＳＥＴ」の欧文字からなる標章（使用商標）が本件商標と社会通念上同一の商標であることについて
　請求人は、使用商標及び本件商標の構成中の「ＩＮＴＥＬＬＡＳＳＥＴ」からは、「インテラセット」、「インテルアセット」、「インテルラセット」又は「インテッラセット」など複数の称呼が生じることから、使用商標と本件商標とは、社会通念上同一の商標には該当しない旨主張する。
　本件商標は、別掲のとおり、「ＩＮＴＥＬＬＡＳＳＥＴ」の欧文字と「インテラセット」の片仮名との二段併記に係る構成からなるところ、使用商標は、「ＩＮＴＥＬＬＡＳＳＥＴ」の欧文字からなるものであるから、二段併記された本件商標中の欧文字部分の使用といえるものである。
　そして、本件商標の構成中の「ＩＮＴＥＬＬＡＳＳＥＴ」の欧文字部分は、同一の書体、同一の大きさをもって等間隔で表されており、外観上一体のものと把握されるとみるのが自然であって、特定の観念を生ずることのない造語と理解されるものであり、また、その下段に「インテラセット」の片仮名が併記されていることも相まって、「インテラセット」と称呼されるものである。したがって、本件商標からは、「インテラセット」の称呼のみが生ずる。
　他方、使用商標は、請求書（乙４，乙５，乙７，乙８，乙１０，乙１１）において、商標権者の住所と認められる記載の上段に表されているものであり、本件商標のように「インテラセット」の片仮名は併記されていないものの、本件商標権者の名称が「株式会社インテラセット」であるところ、該証拠がコンサルティング契約に基づく「業務委託費」の請求書であること、請求書上には「株式会社インテラセット」の文字からなる社判が押印され、「ご入金先口座名」として「株式会社インテラセット」と記載されていることからすれば、使用商標に接した者は使用商標から「インテラセット」の称呼を生ずると理解、認識するとみるのが自然である。
　したがって、使用商標からは「インテラセット」の称呼のみが生じるとみるのが相当であり、請求人の上記主張を採用することはできない。
　よって、使用商標は、本件商標と社会通念上同一の商標とみるのが相当である。
５　むすび
　以上のとおり、被請求人は、本件審判の請求の登録前３年以内に日本国内において、本件審判の請求に係る指定役務中、第３５類「事業の管理又は運営，事業の管理又は運営に関するコンサルティング，経営の診断又は経営に関する助言及び指導」について商標権者が本件商標と社会通念上同一と認められる商標を使用していたことを証明したと認められる。
　したがって、本件商標の登録は、商標法第５０条の規定により、取り消すことはできない。
　よって、結論のとおり審決する。